(57)【要約】      （修正有）【課題】空気と、浮遊固形汚濁物質を含む被処理液を貯留する浮上分離処理槽の下部から導いた被処理液とを、ポンプに吸引させ、空気と被処理液とを攪拌混合して多数の微細気泡が被処理液中に拡散混入した気泡流を生成する工程を備える液中浮遊固形汚濁物質分離方法であって、浮遊固形汚濁物質除去費用が廉価であり、被処理液中の浮遊固形汚濁物質によってポンプの正常作動が阻害されない液中浮遊固形汚濁物質分離方法を提供する。【解決手段】空気と、浮遊固形汚濁物質を含む被処理液を貯留する浮上分離処理槽の下部から導いた被処理液とを、ポンプに吸引させ、空気と被処理液とを攪拌混合して多数の微細気泡が被処理液中に拡散混入した気泡流を生成し、ポンプから吐出する気泡流を浮上分離処理槽へ直接還流させる。【選択図】図１
2005118609.tif 000002
【特許請求の範囲】
【請求項１】
空気と、浮遊固形汚濁物質を含む被処理液を貯留する浮上分離処理槽の下部から導いた被処理液とを、ポンプに吸引させ、空気を被処理液と攪拌混合して多数の微細気泡が被処理液中に拡散混入した気泡流を生成し、ポンプから吐出する気泡流を浮上分離処理槽へ直接還流させることを特徴とする液中浮遊固形汚濁物質分離方法。
【請求項２】
ポンプは、羽根車を有することを特徴とする請求項１に記載の液中浮遊固形汚濁物質分離方法。
【請求項３】
ポンプは遠心ポンプ又はプロペラポンプであることを特徴とする請求項２に記載の液中浮遊固形汚濁物質分離方法。
【請求項４】
ポンプの吐出圧が０．１５ＭＰａＧ以下であることを特徴とする請求項１乃至３の何れか１項に記載の液中浮遊固形汚濁物質分離方法。
【請求項５】
浮遊固形汚濁物質を含む被処理液を貯留する浮上分離処理槽の下部から導いた被処理液流に微細空気泡を拡散混入させて、多数の微細気泡が被処理液中に拡散混入した気泡流を生成し、当該気泡流を浮上分離処理槽へ直接還流させることを特徴とする液中浮遊固形汚濁物質分離方法。
【請求項６】
空気と、処理槽から導いた被処理液とを、ポンプに吸引させ、空気を被処理液と攪拌混合して多数の微細気泡が被処理液中に拡散混入した気泡流を生成し、ポンプから吐出する気泡流を処理槽へ直接還流させることを特徴とする汚水浄化方法。
【請求項７】
ポンプは、羽根車を有することを特徴とする請求項６に記載の汚水浄化方法。
【請求項８】
ポンプは遠心ポンプ又はプロペラポンプであることを特徴とする請求項７に記載の汚水浄化方法。
【請求項９】
処理槽から導いた被処理液流に微細空気泡を拡散混入させて、多数の微細気泡が被処理液中に拡散混入した気泡流を生成し、当該気泡流を処理槽へ直接還流させることを特徴とする汚水浄化方法。
【請求項１０】
浮遊固形汚濁物質を含む被処理液を貯留する浮上分離処理槽と、浮上分離処理槽から導出され浮上分離処理槽へ戻る被処理液循環路と、被処理液循環路の途上に配設されたポンプと、被処理液の流れに関してポンプよりも上流で被処理液循環路に接続された空気混入装置とを備え、被処理液循環路の被処理液の流れに関してポンプよりも下流の部位は浮上分離処理槽に直結していることを特徴とする液中浮遊固形汚濁物質分離装置。
【請求項１１】
ポンプは、羽根車を有することを特徴とする請求項１０に記載の液中浮遊固形汚濁物質分離装置。
【請求項１２】
ポンプは遠心ポンプ又はプロペラポンプであることを特徴とする請求項１１に記載の液中浮遊固形汚濁物質分離装置。
【請求項１３】
ポンプの吐出圧が０．１５ＭＰａＧ以下であることを特徴とする請求項１０乃至１２の何れか１項に記載の液中浮遊固形汚濁物質分離装置。
【請求項１４】
浮遊固形汚濁物質を含む被処理液を貯留する浮上分離処理槽と、浮上分離処理槽から導出され浮上分離処理槽へ戻る被処理液循環路と、被処理液循環路の途上に配設されたポンプと、被処理液循環路に接続された微細空気泡混入装置とを備え、被処理液循環路の被処理液の流れに関してポンプよりも下流の部位は浮上分離処理槽に直結していることを特徴とする液中浮遊固形汚濁物質分離装置。
【請求項１５】
処理槽と、処理槽から導出され処理槽へ戻る被処理液循環路と、被処理液循環路の途上に配設されたポンプと、被処理液の流れに関してポンプよりも上流で被処理液循環路に接続された空気混入装置とを備え、被処理液循環路の被処理液の流れに関してポンプよりも下流の部位は処理槽に直結していることを特徴とする汚水浄化装置。
【請求項１６】
ポンプは、羽根車を有することを特徴とする請求項１５に記載の汚水浄化装置。
【請求項１７】
ポンプは遠心ポンプ又はプロペラポンプであることを特徴とする請求項１６に記載の汚水浄化装置。
【請求項１８】
ポンプの吐出圧が０．１５ＭＰａＧ以下であることを特徴とする請求項１５乃至１７の何れか１項に記載の汚水浄化装置。
【請求項１９】
処理槽と、処理槽から導出され処理槽へ戻る被処理液循環路と、被処理液循環路の途上に配設されたポンプと、被処理液循環路に接続された微細空気泡混入装置とを備え、被処理液循環路の被処理液の流れに関してポンプよりも下流の部位は処理槽に直結していることを特徴とする汚水浄化装置。
【発明の詳細な説明】
【技術分野】
【０００１】
本発明は、液中浮遊固形汚濁物質分離方法及び汚水浄化方法、並びに液中浮遊固形汚濁物質分離装置及び汚水浄化装置に関するものである。
【背景技術】
【０００２】
空気と、浮遊固形汚濁物質を含む被処理液を貯留する浮上分離処理槽の下部から導いた被処理液とを、カスケードポンプに吸引させ、空気と被処理液とを攪拌混合して多数の微細気泡が被処理液中に拡散混入した気泡流を生成し、気泡流を０．４ＭＰａＧ程度まで加圧して微細気泡化した空気を被処理液中に溶解させ、カスケードポンプから吐出する加圧気泡流から未溶解の空気を除去し、空気が溶解した加圧被処理液を大気圧まで急減圧しつつ浮上分離処理槽に還流させ、発生する微細気泡に浮遊固形汚濁物質を付着させ浮上させて、被処理液から浮遊固形汚濁物質を除去することを特徴とする液中浮遊固形汚濁物質分離方法が、特許文献１に開示されている。
【特許文献１】特開２０００−１６１２７８
【発明の開示】
【発明が解決しようとする課題】
【０００３】
特許文献１の技術には、加圧気泡流から未溶解の空気を除去するための余剰気体浮上分離処理槽を設置するので浮遊固形汚濁物質除去費用が高騰する、複雑な構造を有するカスケードポンプは高価なので浮遊固形汚濁物質除去費用が高騰する、カスケードポンプの羽根車とケーシングとの間の環状隙間が狭いので被処理液中の浮遊固形汚濁物質が当該隙間に挟まりポンプの正常作動が阻害される、ポンプの分解洗浄頻度が高いので浮遊固形汚濁物質除去費用が高騰し且つ浮遊固形汚濁物質除去効率が低い等の問題がある。
本発明は、上記問題に鑑みてなされたものであり、空気と、浮遊固形汚濁物質を含む被処理液を貯留する浮上分離処理槽の下部から導いた被処理液とを、ポンプに吸引させ、空気と被処理液とを攪拌混合して多数の微細気泡が被処理液中に拡散混入した気泡流を生成する工程を備える液中浮遊固形汚濁物質分離方法であって、浮遊固形汚濁物質除去費用が廉価であり、被処理液中の浮遊固形汚濁物質によってポンプの正常作動が阻害されず、浮遊固形汚濁物質除去効率が高い液中浮遊固形汚濁物質分離方法を提供することを目的とする。また本発明は従来のばっ気処理に比べて少量の空気で汚水を浄化することができる汚水処理方法を提供することを目的とする。また本発明は上記方法を実施するための装置を提供することを目的とする。
【課題を解決するための手段】
【０００４】
上記課題を解決するために、本発明においては、空気と、浮遊固形汚濁物質を含む被処理液を貯留する浮上分離処理槽の下部から導いた被処理液とを、ポンプに吸引させ、空気と被処理液とを攪拌混合して多数の微細気泡が被処理液中に拡散混入した気泡流を生成し、ポンプから吐出する気泡流を浮上分離処理槽へ直接還流させることを特徴とする液中浮遊固形汚濁物質分離方法を提供する。
本発明の発明者は鋭意研究の結果、羽根車を有する一般的なポンプに空気と水とを吸引させ、両者を攪拌混合して多数の微細気泡が水中に拡散混入した気泡流を生成し、ポンプから吐出する気泡流を、浮遊固形汚濁物質を含む被処理液中に直接噴出させるだけで、より具体的には特許文献１の技術とは異なり、気泡流を加圧して微細気泡化した空気を水中に溶解させることなく、また気泡流から未溶解の空気を除去することなく、気泡流をそのまま被処理液中に噴出させるだけで、被処理液中の浮遊固形汚濁物質を微細気泡に付着させて浮上させ得ることを見出した。本発明は上記知見に基づくものである。
本発明に係る液中浮遊固形汚濁物質分離方法においては、多数の微細気泡が拡散混入した被処理液の気泡流を、余剰気体浮上分離処理槽を介することなく浮上分離処理槽へ直接還流させるので、処理費用は高騰しない。
【０００５】
本発明の好ましい態様においては、ポンプは、羽根車を有する。
羽根車により吸引された空気塊が破砕されるので、容易に気泡流が形成される。
【０００６】
本発明の好ましい態様においては、ポンプは遠心ポンプ又はプロペラポンプである。
特殊構造で高価なカスケードポンプではなく、羽根車を有する一般的なポンプである遠心ポンプ又はプロペラポンプを使用することにより、浮遊固形汚濁物質除去費用の高騰化が抑制される。遠心ポンプ、プロペラポンプは保守点検が容易である。排水用のポンプを使用すれば、被処理液中の浮遊固形汚濁物質によってポンプの正常作動が阻害される事態の発生が防止され、ポンプの分解洗浄頻度が低下し浮遊固形汚濁物質除去効率が向上する。
【０００７】
本発明の好ましい態様においては、ポンプの吐出圧は０．１５ＭＰａＧ以下である。
ポンプの吐出圧が０．１５ＭＰａＧ以下であっても、空気混入量が適正であれば、被処理液中の浮遊固形汚濁物質を浮上させるに足る気泡流を吐出することができる。
【０００８】
本発明においては、浮遊固形汚濁物質を含む被処理液を貯留する浮上分離処理槽の下部から導いた被処理液流に微細空気泡を拡散混入させて、多数の微細気泡が被処理液中に拡散混入した気泡流を生成し、当該気泡流を浮上分離処理槽へ直接還流させることを特徴とする液中浮遊固形汚濁物質分離方法を提供する。
空気と被処理液とをポンプに吸引させ、空気と被処理液とを攪拌混合して多数の微細気泡が被処理液中に拡散混入した気泡流を生成するのに代えて、多孔体を介して被処理液流に微細空気泡を直接拡散混入させ、或いは被処理液流に混入させた空気塊を気泡破砕装置を用いて微細気泡に破砕し、当該微細気泡を拡散させて、被処理液の気泡流を生成しても良い。この場合、被処理液の搬送手段として、往復動ポンプ、回転ポンプ等の羽根車を有さないポンプを使用することもできる。
【０００９】
本発明においては、空気と、処理槽から導いた被処理液とを、ポンプに吸引させ、空気を被処理液と攪拌混合して多数の微細気泡が被処理液中に拡散混入した気泡流を生成し、ポンプから吐出する気泡流を処理槽へ直接還流させることを特徴とする汚水浄化方法を提供する。
汚水の気泡流を汚水中に吐出させることにより、空気を汚水中に吐出させる従来のばっ気処理による汚水浄化方法に比べて、少量の空気で汚水中の溶存酸素量を増加させることができ、少量の空気で汚水を浄化することができる。
【００１０】
本発明の好ましい態様においては、ポンプは、羽根車を有する。
羽根車により吸引された空気塊が破砕されるので、容易に気泡流が形成される。
【００１１】
本発明の好ましい態様においては、ポンプは遠心ポンプ又はプロペラポンプである。
特殊構造で高価なカスケードポンプではなく、羽根車を有する一般的なポンプである遠心ポンプ又はプロペラポンプを使用することにより、汚水浄化費用の高騰化が抑制される。遠心ポンプ、プロペラポンプは保守点検が容易である。排水用のポンプを使用すれば、汚水中の浮遊固形汚濁物質によってポンプの正常作動が阻害される事態の発生が防止され、ポンプの分解洗浄頻度が低下し汚水浄化効率が向上する。
【００１２】
本発明においては、処理槽から導いた被処理液に微細空気泡を拡散混入させて、多数の微細気泡が被処理液中に拡散混入した気泡流を生成し、当該気泡流を処理槽へ直接還流させることを特徴とする汚水浄化方法を提供する。
空気と被処理液とをポンプに吸引させ、空気と被処理液とを攪拌混合して多数の微細気泡が被処理液中に拡散混入した気泡流を生成するのに代えて、多孔体を介して被処理液流に微細空気泡を直接拡散混入させ、或いは被処理液流に混入させた空気塊を気泡破砕装置を用いて微細気泡に破砕し、当該微細気泡を拡散させて、被処理液の気泡流を生成しても良い。この場合、被処理液の搬送手段として、往復動ポンプ、回転ポンプ等の羽根車を有さないポンプを使用することもできる。
【００１３】
本発明においては、浮遊固形汚濁物質を含む被処理液を貯留する浮上分離処理槽と、浮上分離処理槽から導出され浮上分離処理槽へ戻る被処理液循環路と、被処理液循環路の途上に配設されたポンプと、被処理液の流れに関してポンプよりも上流で被処理液循環路に接続された空気混入装置とを備え、被処理液循環路の被処理液の流れに関してポンプよりも下流の部位は浮上分離処理槽に直結していることを特徴とする液中浮遊固形汚濁物質分離装置を提供する。
本発明に係る液中浮遊固形汚濁物質分離装置においては、多数の微細気泡が拡散混入した被処理液の気泡流を、余剰気体浮上分離処理槽を介することなく浮上分離処理槽へ直接還流させるので、処理費用は高騰しない。
【００１４】
本発明においては、処理槽と、処理槽から導出され処理槽へ戻る被処理液循環路と、被処理液循環路の途上に配設されたポンプと、被処理液の流れに関してポンプよりも上流で被処理液循環路に接続された空気混入装置とを備え、被処理液循環路の被処理液の流れに関してポンプよりも下流の部位は処理槽に直結していることを特徴とする汚水浄化装置を提供する。
汚水の気泡流を汚水中に吐出させることにより、空気を汚水中に吐出させる従来のばっ気処理による汚水浄化装置に比べて、少量の空気で汚水中の溶存酸素量を増加させることができ、少量の空気で汚水を浄化することができる。
【発明の効果】
【００１５】
上記説明から明らかなように、本本発明に係る液中浮遊固形汚濁物質分離方法においては、多数の微細気泡が拡散混入した被処理液の気泡流を、余剰気体浮上分離処理槽を介することなく浮上分離処理槽へ直接還流させるので、処理費用は高騰しない。
【発明を実施するための最良の形態】
【００１６】
本発明の実施例に係る液中浮遊固形汚濁物質分離方法を以下に説明する。
【実施例１】
【００１７】
図１に本発明の実施例に係る方法を実施するための液中浮遊固形汚濁物質除去装置を示す。
液中浮遊固形汚濁物質除去装置は、浮上分離処理槽１を備えている。排水パイプ２が、浮上分離処理槽１の底部からオーバーフロー装置３を経て、循環槽４の直上まで延在している。取水パイプ５が、循環槽４の液面直下から取水ポンプ６を経て、浮上分離処理槽１の高さ方向略中央部まで延在している。取水ポンプ６は、遠心ポンプ、プロペラポンプ等の羽根車を有する一般的な排水ポンプであってカスケードポンプ以外のポンプである。塗料ミストを含む被処理液が、図示しない水洗式塗装ブースから循環槽４に供給される。
かき取り装置７が、浮上分離処理槽１の直上に配設されている。浮上分離処理槽１の側方に浮遊固形汚濁物質回収槽８が配設されている。
排水パイプ２の途上から延びる分岐パイプ９が、フィルター１０と弁１１とポンプ１２と弁１３とを経た後、二股に分かれて浮上分離処理槽１の高さ方向略中央部まで延びている。ポンプ１２は、遠心ポンプ、プロペラポンプ等の羽根車を有するポンプであって、カスケードポンプ以外のポンプである。分岐パイプ９の弁１１とポンプ１２との間で延在する部位に、空気パイプ１４が接続している。空気パイプの途上に弁１５が配設されている。空気パイプ１４の上流端は図示しない空気供給源に接続している。
【００１８】
上記液中浮遊固形汚濁物質除去装置においては、循環槽４内の被処理液が、取水パイプ５と取水ポンプ６とを介して浮上分離処理槽１へ流入する。排水パイプ２とオーバーフロー装置３とを介して浮上分離処理槽１から流出した被処理液の下澄み液が、循環槽４へ還流する。
浮上分離処理槽１から流出する被処理液の一部は、排水パイプ２から分岐パイプ９へ流入し、フィルター１０を通って塵芥から解放され、空気パイプ１４を介して空気を供給され、ポンプ１２内で空気と攪拌混合されて多数の拡散混入した微細気泡を含有する気泡流となり、浮上分離処理槽１へ還流する。弁１１、１５の開度が調整されて気泡流の空気含有量が調整され、弁１３の開度が調整されてポンプ１２の吐出圧が調整される。
浮上分離処理槽１へ還流した気泡流に含まれる微細気泡に、被処理液中に浮遊する塗料ミストが付着し、浮上する。かき取り装置７が、浮上分離処理槽１の液面に浮上した塗料ミスト濃縮液をかき取り、浮遊固形汚濁物質回収槽８へ排出する。被処理液の循環と、気泡流の吐出と、塗料ミストの浮上とにより、被処理液中の塗料ミスト濃度が低下する。塗料ミスト濃度が低下した被処理液は、循環槽４へ戻される。
【００１９】
本実施例に係る液中浮遊固形汚濁物質分離方法においては、多数の微細気泡が拡散混入した被処理液の気泡流を、余剰気体浮上分離処理槽を介することなく浮上分離処理槽へ直接還流させるので、処理費用は高騰しない。
ポンプ１２の羽根車により、被処理液中に吸引された空気塊が破砕されるので、容易に気泡流が形成される。
ポンプ１２として、特殊構造で高価なカスケードポンプではなく、羽根車を有する一般的なポンプである遠心ポンプ又はプロペラポンプを使用することにより、浮遊固形汚濁物質除去費用の高騰化が抑制される。遠心ポンプ、プロペラポンプは保守点検が容易である。ポンプ１２として、排水用のポンプを使用することにより、被処理液中の塗料ミストによってポンプの正常作動が阻害される事態の発生が防止され、ポンプ１２の分解洗浄頻度が低下し浮遊固形汚濁物質除去効率が向上する。
【００２０】
図１の装置を用いて液中浮遊固形汚濁物質除去実験を行った。実験条件を以下に示す。
浮上分離処理槽１の容積：３ｍ３
ポンプ１２の仕様：吐出流量１５０リットル／分の渦巻ポンプ（荏原製作所製のラインポンプ）
被処理液：水洗式塗装ブースの排水
空気供給圧：０．５ｋｇ／ｃｍ２Ｇ
空気供給量：０Ｌ／分、１．５Ｌ／分、３Ｌ／分、４．５Ｌ／分の４種類
ポンプ１２吐出圧：０．０２〜０．０４ＭＰａＧ、０．１ＭＰａＧ、０．１５ＭＰａＧの３種類
被処理液中の塗料ミスト濃度：ポンプ１２の吐出圧が０．０２〜０．０４ＭＰａＧの実験では塗料ミスト濃度が２５００ｍｇ／Ｌの排水を被処理液として使用し、ポンプ１２の吐出圧が０．１ＭＰａＧ、０．１５ＭＰａＧの実験では塗料ミスト濃度が１７００ｍｇ／Ｌの排水を被処理液として使用した。
実験手順：所定の空気供給量、所定のポンプ１２の吐出圧の下で、図１の装置を１時間連続運転し、排水パイプ２内の被処理液中の塗料ミスト濃度変化を測定した。
【００２１】
実験により得られた被処理液中の塗料ミスト濃度変化を図２に示し、塗料ミスト除去率を図３に示す。
図２、図３から、ポンプ１２の吐出圧の大小に関わらず、空気供給量の増加と共に、被処理液中の塗料ミスト濃度の低下量が増加し、塗料ミスト除去率が増加することが分かる。また、ポンプ１２の吐出圧が０．０２〜０．０４ＭＰａＧと低く、ポンプ１２で生成した気泡流を実質上加圧せずにそのまま浮上分離処理槽１へ吐出させた方が、ポンプ１２の吐出圧が０．１ＭＰａＧ、０．１５ＭＰａＧと高く、ポンプ１２で生成した気泡流を加圧して浮上分離処理槽１へ吐出させた場合よりも、塗料ミスト濃度の低下量が多く、塗料ミスト除去率が高いことが分かる。ポンプ１２の吐出圧が０．０２〜０．０４ＭＰａＧであり、空気供給量が４．５Ｌ／分の場合には、塗料ミスト除去率は６５％に達している。
【００２２】
ポンプ１２の吐出圧が０．０２〜０．０４ＭＰａＧの場合の実験結果は、空気と、浮遊固形汚濁物質を含む被処理水とを、羽根車を有する一般的なポンプに吸引させ、両者を攪拌混合して多数の微細気泡が水中に拡散混入した気泡流を生成し、ポンプから吐出する気泡流を、浮遊固形汚濁物質を含む被処理液中に直接噴出させるだけで、より具体的には特許文献１の技術とは異なり、実質上気泡流を加圧して微細気泡化した空気を水中に溶解させることなく、また気泡流から未溶解の空気を除去することなく、気泡流をそのまま被処理液中に噴出させるだけで、被処理液中の浮遊固形汚濁物質を微細気泡に付着させて浮上させ得ること、及び空気供給量を適正にすれば被処理液中の浮遊固形汚濁物質の大部分を除去できることを示している。
ポンプ１２の吐出圧が０．１０ＭＰａＧ、０．１５ＭＰａＧの場合の実験結果は、空気と、浮遊固形汚濁物質を含む被処理水とを、羽根車を有する一般的なポンプに吸引させ、両者を攪拌混合して多数の微細気泡が水中に拡散混入した気泡流を生成し、特許文献１の技術とは異なりごく僅かに加圧し且つ気泡流から未溶解の空気を除去することなく、気泡流をそのまま被処理液中に噴出させるだけで、被処理液中の浮遊固形汚濁物質を微細気泡に付着させて浮上させ、被処理液中の浮遊固形汚濁物質を除去できることを示している。
【００２３】
ポンプ１２として、往復動ポンプ、回転ポンプなどの羽根車を有さない容積型のポンプを使用する場合でも、空気パイプ１４の分岐パイプ９との接続部に多孔体を配設し、あるいは分岐パイプ９のポンプ１２に近接する部位にメッシュなどの気泡破砕装置を取り付けることにより、多数の微細気泡が被処理液中に拡散混入した気泡流を生成することが可能と考えられる。
【００２４】
浮遊固形汚濁物質回収槽８内の塗料ミストを多量に含む廃液は、バキュームカーにより図示しない受け入れ槽へ搬送され、受け入れ槽から図示しないばっ気槽へポンプアップされ、ばっ気槽内で浄化処理される。ばっき槽に、分岐パイプ９、フィルター１０、弁１１、ポンプ１２、弁１３、空気パイプ１４、弁１５、図示しない空気供給源等と同様の機器からなる気泡流吐出装置を図１と同様の態様で取り付けても良い。廃液中に空気を吹き込む従来のばっ気では、廃液への空気の溶解を促進する微細気泡の生成が困難であり、廃液中の溶存酸素量増加に多量の空気を必要とするが、微細気泡を多量に含有する廃液の気泡流を廃液中に吐出すれば、従来に比べて少量の空気で廃液中の溶存酸素量を増加させることができ、従来に比べて少量の空気で廃液を浄化処理することができる。
【実施例２】
【００２５】
分岐パイプ９、フィルター１０、弁１１、ポンプ１２、弁１３、空気パイプ１４、弁１５に代えて、図４に示すように、取水パイプ５の取水ポンプ６直近上流の部位に、空気パイプ１４′を接続し、空気パイプ１４′の途上に弁１５′を配設し、空気パイプ１４′の上流端を図示しない空気供給源に接続し、取水パイプ５を浮上分離処理槽１の中心部下部まで延在させても良い。
浮上分離処理槽１の中心部下部へ流入した被処理液の気泡流に含まれる微細気泡に、被処理液中に浮遊する塗料ミストが付着して浮上し、被処理液中の塗料ミスト濃度が低下する。  取水パイプ５、取水ポンプ６を気泡流吐出装置の一部として利用することにより、液中浮遊固形汚濁物質除去装置の部品数が減少し、当該装置の製造コストが減少する。
【産業上の利用可能性】
【００２６】
本発明に係る液中浮遊固形汚濁物質分離方法は、種々の産業機器から排出される浮遊固形汚濁物質を含む排水の処理に適用可能であり、更には産業排水、下水等の種々の汚水の浄化処理に適用可能である。
【図面の簡単な説明】
【００２７】
【図１】本発明の実施例に係る方法を実施するための液中浮遊固形汚濁物質除去装置の構成図である。
【図２】実験により得られた空気供給量とミスト濃度低下量の相関図である。
【図３】実験により得られた空気供給量とミス除去率との相関を示す表である。
【図４】本発明の他の実施例に係る方法を実施するための液中浮遊固形汚濁物質除去装置の構成図である。
【符号の説明】
【００２８】
１  浮上分離処理槽
２  排水パイプ
４  循環槽
５  取水パイプ
６  取水ポンプ
７  かき取り装置
８  浮遊固形汚濁物質回収槽
９  分岐パイプ
１０  フィルター
１１、１３、１５、１５′  弁
１２  ポンプ
１４、１４′  空気パイプ
【図１】
2005118609.tif 000003
【図２】
2005118609.tif 000004
【図３】
2005118609.tif 000005
【図４】
2005118609.tif 000006